(57)【要約】【課題】ディジタル放送を受信し記録可能な放送受信装置において、コンテンツデータの記録開始時刻、コンテンツデータを記録中であることなどを報知可能とする。【解決手段】たとえば、アプリケーションプログラムを搭載し、コンテンツデータを含むディジタル放送波を受信する受信手段１０１と、を備えたディジタル放送受信装置１００であって、受信手段１０１が受信したコンテンツデータを記録する記録手段１１０と、該記録手段１１０がコンテンツデータを記録しているときに、アプリケーションプログラムを起動している場合は、当該アプリケーションに基づく所定の操作に伴って表示手段１０９に記録中である旨の表示を行う制御手段１１１と、を備える。【選択図】図１
2011024262.tif 000002
【特許請求の範囲】
【請求項１】
アプリケーションプログラムを搭載し、コンテンツデータを含むディジタル放送波を受信する受信手段と、を備えたディジタル放送受信装置であって、
前記受信手段が受信したコンテンツデータを記録する記録手段と、
該記録手段がコンテンツデータを記録しているときに、アプリケーションプログラムを起動している場合は、当該アプリケーションに基づく所定の操作に伴って前記表示手段に前記記録中である旨の表示を行う制御手段と、
を備えたことを特徴とするディジタル放送受信装置。
【請求項２】
前記アプリケーションに基づく所定の操作は、アプリケーションにおいて作成されたデータの送信、又はアプリケーションにおける新たなデータの受信要求に基づく操作であることを特徴とする
請求項１に記載のディジタル放送受信装置。
【請求項３】
前記受信手段が受信するコンテンツデータの記録終了時刻を設定する設定手段とを備え、
前記制御手段は、前記記録中の表示として現在時刻と前記終了時刻から記録終了までの残り時間を算出して表示することを特徴とする
請求項１または２に記載のディジタル放送受信装置。
【請求項４】
表示手段と、着信を報知する発光手段と、コンテンツデータを含むディジタル放送波を受信する受信手段と、を備えたディジタル放送受信装置であって、
前記受信手段が受信するコンテンツデータの記録開始時刻を設定する設定手段と、
該設定手段により設定された記録開始時刻より前に、前記表示手段又は発光手段の少なくとも何れか一方に前記記録開始時刻前である旨の報知を行う制御手段と、
を備えたことを特徴とするディジタル放送受信装置。
【請求項５】
前記制御手段は、前記表示手段の照明が消灯した場合、又は前記表示手段の表示が消えた場合に、前記発光手段に前記記録開始時刻前である旨の報知を行うことを特徴とする
請求項４に記載のディジタル放送受信装置。
【請求項６】
着信を表示する表示手段と、コンテンツデータを含むディジタル放送波を受信する受信手段と、を備えたディジタル放送受信装置であって、
前記受信手段が受信するコンテンツデータの記録開始時刻を設定する設定手段と、
該設定手段により記録開始時刻が設定されているときに着信を受けた場合、前記表示手段に該着信の旨の表示とともに前記記録開始時刻前である旨の表示を行う制御手段と、
を備えたことを特徴とするディジタル放送受信装置。
【請求項７】
前記制御手段は、着信に関する文字情報を表示する表示エリアに前記記録開始時刻前である旨の表示を行うことを特徴とする
請求項６に記載のディジタル放送受信装置。
【請求項８】
アプリケーションプログラムを搭載し、コンテンツデータを含むディジタル放送波を受信する受信手段と、を備えたディジタル放送受信装置であって、
前記受信手段が受信するコンテンツデータの記録開始時刻を設定する設定手段と、
該設定手段により記録開始時刻が設定されているときに、アプリケーションプログラムを起動している場合は、当該アプリケーションに基づく所定の操作に伴って前記表示手段に前記記録開始時刻前である旨の表示を行う制御手段と、
を備えたことを特徴とするディジタル放送受信装置。
【請求項９】
前記アプリケーションに基づく所定の操作は、アプリケーションにおいて作成されたデータの送信、又はアプリケーションにおける新たなデータの受信要求に基づく操作であることを特徴とする
請求項８に記載のディジタル放送受信装置。
【請求項１０】
前記制御手段は、前記設定された記録開始時刻の所定時間前から前記記録開始時刻前である旨の報知を行うことを特徴とする
請求項４〜９のいずれかに記載のディジタル放送受信装置。
【請求項１１】
前記制御手段は、現在時刻から前記設定された記録開始時刻までの時間に応じて前記記録開始時刻前である旨の報知形態を異ならせることを特徴とする
請求項４〜１０のいずれかに記載のディジタル放送受信装置。
【発明の詳細な説明】
【技術分野】
【０００１】
本発明は、例えば、ディジタル放送を受信して記録する携帯電話機等のディジタル放送受信装置に関する。
【背景技術】
【０００２】
近年、携帯電話機にテレビチューナを内蔵する技術が知られている（例えば、特許文献１参照）。
また、地上波ディジタル放送または衛星ディジタル放送では、主に携帯性の高い小型受信機向けに、１または３セグメントの伝送帯域を使用した放送が予定されている。
【先行技術文献】
【特許文献】
【０００３】
【特許文献１】特開２００２−９９２０号公報
【発明の概要】
【発明が解決しようとする課題】
【０００４】
ところで、テレビチューナを内蔵した携帯電話機は受信した番組（コンテンツデータ）を録画することも可能になりつつあるが、受信装置が移動体であるため、受信場所によっては録画中にテレビの放送波が悪化したり、受信できなくなったりしてしまうので、録画中は必ず受信できる場所に居ることが好ましい。
そのため、ユーザは常に録画中か否かをメイン表示部にて確認する必要があるが、携帯電話機などは、所定時間入力がなされない場合、メイン表示部のバックライトを消して省電力化を図っているためメイン表示部の文字や画像などは極端に見え難くなってしまう。
【０００５】
また、筐体部が折り畳み構造の場合、折り畳むと同時にメイン表示部が内側に隠れてしまい全く見えなくなってしまう。従って、録画中か否かを確認するためにはバックライトを点灯させたり、メイン表示部を露出させなければならないという問題があった。
【０００６】
また、受信した番組（コンテンツデータ）を録画するためには、受信処理や録画処理を行う必要があり、電力を消費する。
更に、携帯電話機などの移動体は、テレビ専用受信装置ではないため録画中でも音声通話、Ｗｅｂブラウジング、メール、ゲームなど他のアプリケーションが起動されることがあり、録画のための処理以上に電力を消費してしまうため、バッテリーの残量によっては録画を停止（バッテリーが切れる）する恐れがある。
【０００７】
そのためには、極力、上記音声通話、Ｗｅｂブラウジング、メール、ゲームなどの起動を抑えれば良いが、音声着信などは使用者の意図に関係なく発生してしまうため、録画中か否かを判断するには時間的（着信応答時間は数秒〜数十秒以内に急いで応答しなければならない）、画面表示的（相手の名前や番号がメイン表示部に大きく表示されるため見落としてしまう）に気付かないという問題がある。
また、その他のアプリケーションも携帯電話機の手軽さから気付かずに起動してしまうという問題がある。
【０００８】
本発明は、かかる事情に鑑みてなされたものであり、その目的は、コンテンツデータの記録開始時刻やコンテンツデータを記録中である旨を報知することができるディジタル放送受信装置を提供することにある。
【課題を解決するための手段】
【０００９】
本発明の第１の観点のディジタル放送受信装置は、アプリケーションプログラムを搭載し、コンテンツデータを含むディジタル放送波を受信する受信手段とを備えたディジタル放送受信装置であって、前記受信手段が受信したコンテンツデータを記録する記録手段と、該記録手段がコンテンツデータを記録しているときに、アプリケーションプログラムを起動している場合は、当該アプリケーションに基づく所定の操作に伴って前記表示手段に前記記録中である旨の表示を行う制御手段と、を備える。
【００１０】
好適には、前記アプリケーションに基づく所定の操作は、アプリケーションにおいて作成されたデータの送信、又はアプリケーションにおける新たなデータの受信要求に基づく操作である。
【００１１】
また、好適には、前記受信手段が受信するコンテンツデータの記録終了時刻を設定する設定手段とを備え、前記制御手段は、前記記録中の表示として現在時刻と前記終了時刻から記録終了までの残り時間を算出して表示する。
【００１２】
本発明の第２の観点のディジタル放送受信装置は、表示手段と、着信を報知する発光手段と、コンテンツデータを含むディジタル放送波を受信する受信手段とを備えたディジタル放送受信装置であって、前記受信手段が受信するコンテンツデータの記録開始時刻を設定する設定手段と、該設定手段により設定された記録開始時刻より前に、前記表示手段又は発光手段の少なくとも何れか一方に前記記録開始時刻前である旨の報知を行う制御手段と、を備える。
【００１３】
好適には、前記制御手段は、前記表示手段の照明が消灯した場合、又は前記表示手段の表示が消えた場合に、前記発光手段に前記記録開始時刻前である旨の報知を行う。
【００１４】
本発明の第３の観点のディジタル放送受信装置は、着信を表示する表示手段と、コンテンツデータを含むディジタル放送波を受信する受信手段と、を備えたディジタル放送受信装置であって、前記受信手段が受信するコンテンツデータの記録開始時刻を設定する設定手段と、該設定手段により記録開始時刻が設定されているときに着信を受けた場合、前記表示手段に該着信の旨の表示とともに前記記録開始時刻前である旨の表示を行う制御手段と、を備える。
【００１５】
好適には、前記制御手段は、着信に関する文字情報を表示する表示エリアに前記記録開始時刻前である旨の表示を行う。
【００１６】
本発明の第４の観点のディジタル放送受信装置は、アプリケーションプログラムを搭載し、コンテンツデータを含むディジタル放送波を受信する受信手段とを備えたディジタル放送受信装置であって、前記受信手段が受信するコンテンツデータの記録開始時刻を設定する設定手段と、該設定手段により記録開始時刻が設定されているときに、アプリケーションプログラムを起動している場合は、当該アプリケーションに基づく所定の操作に伴って前記表示手段に前記記録開始時刻前である旨の表示を行う制御手段とを備える。
【００１７】
好適には、前記アプリケーションに基づく所定の操作は、アプリケーションにおいて作成されたデータの送信、又はアプリケーションにおける新たなデータの受信要求に基づく操作である。
【００１８】
また、好適には、前記制御手段は、前記設定された記録開始時刻の所定時間前から前記記録開始時刻前である旨の報知を行う。
【００１９】
また、好適には、前記制御手段は、現在時刻から前記設定された記録開始時刻までの時間に応じて前記記録開始時刻前である旨の報知形態を異ならせる。
【発明の効果】
【００２０】
本発明によれば、コンテンツデータの記録開始時刻やコンテンツデータを記録中である旨を報知することができるディジタル放送受信装置を提供することができる。
【図面の簡単な説明】
【００２１】
【図１】本発明に係るディジタル放送受信装置の一実施形態の機能ブロック図である。
【図２】図１に示した携帯電話の一実施形態の全体図である。
【図３】図２に示した携帯電話を折り畳んだ状態の全体図である。
【図４】図１に示した表示設定記録部の一具体例を説明するための図である。
【図５】図１に示した携帯電話の表示部が表示する画像の一具体例を説明するための図である。
【図６】図１に示した携帯電話の記録開始時刻前の動作の一具体例を説明するためのフローチャートである。
【図７】図１に示した携帯電話の記録開始時刻前のＬＥＤの動作の一具体例を説明するための図である。
【図８】図１に示した携帯電話の記録時の動作の一具体例を説明するためのフローチャートである。
【図９】図１に示した表示部の表示に関する一具体例を示す図である。
【図１０】図１に示した携帯電話の動作の一具体例を説明するためのフローチャートである。
【図１１】図１に示した表示部の表示に関する一具体例を示す図である。
【図１２】図１に示した携帯電話がブラウジングを行う場合の報知による画像表示を説明するための図である。
【図１３】図１に示した携帯電話がブラウジングを行う場合の記録開始時刻前の画像表示を説明するための図である。
【発明を実施するための形態】
【００２２】
本実施の形態では、制作されたドラマやスポーツ中継、ニュース、コマーシャルなど、放送される放送内容を「コンテンツ」と表記する。
【００２３】
図１は、本発明に係るディジタル放送受信装置の一実施形態の機能ブロック図である。
本実施形態に係るディジタル放送受信装置１００は、例えばディジタル放送受信機能、受信したディジタル放送を記録する機能を有する携帯電話、ＰＤＡ（Personal digital assistant）、カーナビゲーション装置等の移動体用のディジタル放送受信装置である。
本実施形態ではディジタル放送受信装置として携帯電話１００を説明する。
【００２４】
本実施形態に係る携帯電話１００は、例えば図１に示すように、チューナ部１０１、復調部１０２、（ＭＰＥＧ）デコーダ部１０３、音声出力部１０４、電話送受信部１０５、計時部１０６、入力部１０７、発光部（ＬＥＤ）１０８、表示部１０９、メモリ１１０、および制御部１１１を主構成要素として有する。
制御部１１１と各構成要素はバス等の信号線により接続されている。
【００２５】
チューナ部１０１、復調部１０２、およびデコーダ部１０３は、本発明の受信手段の一例に相当し、入力部１０７は本発明に係る設定手段の一例に相当する。
発光部（ＬＥＤ）１０８は本発明に係る発光手段の一例に相当し、表示部１０９は本発明に係る表示手段の一例に相当し、メモリ１１０は本発明の記録手段の一例に相当し、制御部１１１は本発明の制御手段の一例に相当する。
尚、発光手段は、例えば装置筐体部の背面に設けられた表示部（サブディスプレイ）、詳細には液晶表示装置（ＬＣＤ）や、サブディスプレイに用いられる発光部も含むものとする。
【００２６】
チューナ部１０１は、例えば制御部１１１の制御により、コンテンツデータを含むディジタル放送波を受信する。
チューナ部１０１は、例えば詳細には、アンテナＡＮＴ１で受信した、ディジタル放送等のコンテンツデータを含むディジタル放送波を受信し、制御部１１１からの周波数（チャンネル）指定命令に基づいて周波数変換処理を行い、所望のコンテンツデータを示すチャンネル信号ＳＧ１０１を、復調部１０２に出力する。
【００２７】
復調部１０２は、例えば制御部１１１の制御により、チューナ部１０１から出力された信号ＳＧ１０１に基づいて、例えば予め規定された符号化方法、詳細にはＭＰＥＧ（Moving Picture Coding Experts Group）トランスポートストリーム(以下、ＴＳ)信号に復調し、映像信号および音声信号をＭＰＥＧデコーダ部に信号ＳＧ１０２として出力する。
【００２８】
ＭＰＥＧデコーダ部１０３は、例えば制御部１１１の制御により、復調部１０２から出力された信号ＳＧ１０２に基づいて、予め規定された符号化方法、詳細にはＭＰＥＧによりエンコードされている信号にデコード処理を施し、得られた音声信号を音声出力部１０４に出力し、得られた映像信号を表示部１０９に出力する。
【００２９】
電話送受信部１０５は、例えば制御部１１１の制御により、無線信号を送受信する。
電話送受信部１０５は、詳細には、制御部１１１の制御により、音声通話やデータ通信の変調処理や復調処理、ならびにエンコード処理およびデコード処理を行い、アンテナＡＮＴ２を介して、例えば基地局や他の情報処理装置と無線信号の送受信を行う。
【００３０】
計時部１０６は、例えば振動子等の振動信号に基づいて時刻を計時し、時刻情報を制御部１１１に出力する。
入力部１０７は、例えば、ユーザ等の操作に応じた信号を制御部１１１に出力する。また、入力部１０７は、コンテンツデータの記録開始時刻や記録終了時刻等を設定する。
入力部１０７は、例えばキーボードや操作入力ボタン群や、ポインティングディバイス、マイク等の音声入力装置等により構成されている。
【００３１】
図２は、図１に示した携帯電話の一実施形態の全体図である。図３は、図２に示した携帯電話を折り畳んだ状態の全体図である。
携帯電話１００は、例えば図２，３に示すように折り畳み式の装置本体部１を備え、詳細には装置本体部１に入力部１０７としての操作入力ボタン群１０７１、および表示部１０９等を有する。
また図３に示すように、折り畳んだ状態の携帯電話１００の装置本体部１の背面部にＬＥＤ１０８が設けられている。
【００３２】
ＬＥＤ１０８は、例えば制御部１１１の制御により、複数または単色で発光し、詳細には点滅や点灯、消灯等の発光を行う。
また、ＬＥＤ１０８は、後述するようにコンテンツデータ（番組ともいう）の記録開始前の報知や番組記録中の報知等を行う。また、ＬＥＤ１０８は、音声着信の通知、メール着信の通知など携帯電話１００の状態を通知する場合にも使用される。
尚、上述した同様の動作を行う、筐体部の背面部に設けられた表示装置（サブディスプレイ）、詳細には液晶表示装置（ＬＣＤ）や、サブディスプレイ用の発光部を設けてもよい。
【００３３】
表示部１０９は、例えば制御部１１１の制御により、所定の画像表示を行う。表示部１０９は例えばＬＣＤ（Liquid Crystal Display）が用いられ、ＴＦＴ（Thin Film Transistor）方式の表示装置などに代表される。後述するように、表示部１０９は制御部１１１の制御により、少なくともコンテンツデータの記録に関する報知を示す画像を表示する。
【００３４】
メモリ１１０は、例えば制御部１１１の制御により、記録したデータが読み出され、また記録するデータが書き込まれる。メモリ１１０は、例えばＲＯＭ（Read Only Memory）やＲＡＭ（Random Access Memory）等により構成される。
また、メモリ１１０は、例えば図１に示すように、プログラム（ＰＲＧ）、番組記録部１１０１、および表示設定記録部１１０２を有する。
【００３５】
プログラム（ＰＲＧ）は、例えば本発明に係る機能を実現するための手順を有し、制御部１１１によりメモリ１１０をワークスペースとして実行されることで、本発明係る機能を実現する。このプログラム（ＰＲＧ）は例えば電話送受信部１０５を介して、他の情報処理装置との通信によりダウンロードされても良い。
また、メモリ１１０は、メール機能、ゲーム機能、Ｗｅｂブラウジング機能等を有するアプリケーションプログラムを記憶する。このアプリケーションプログラムは、制御部１１１により必要に応じて実行される。
【００３６】
番組記録部１１０１は、制御部１１１の制御により、コンテンツデータ（番組ともいう）を記録する場合、デコーダ部１０３から出力される映像信号や音声信号を書き込む。
表示設定記録部１１０２は、携帯電話１００が所定の表示を行う際の表示設定データを記録する。この表示設定データは、例えば入力部１０７により入力される。
【００３７】
図４は、図１に示した表示設定記録部の一具体例を説明するための図である。
表示設定記録部１１０２には、例えば図４に示すように、コンテンツデータ（番組）記録中に行うことが予想される状態と、その状態に対応する表示場所を対応付ける。
例えば図４に示すように、表示設定記録部１１０２は、各状態に対し表示場所(方法)を格納している。
状態や各項目の内容はユーザが入力部１０７の操作により追加、編集、および削除を行うことができる。
表示場所には、ユーザに通知する場所(方法)を設定する。
設定項目には「なし」、「ＬＥＤ」、「ディスプレイ」、および「ピクト」等の状態を設定できる。この項目は複数個、設定することも可能である。
【００３８】
図５は、図１に示した携帯電話の表示部が表示する画像の一具体例を説明するための図である。
制御部１１１は、表示部１０９に、例えば図５に示すような画像Ｐ１０９を表示させる。例えば表示部１０９は、画面上部に装置の状態を示すピクト領域（ＰＣＴ）と、画面中央部に待ち受け画面等を表示するメイン領域（ＰＭ）を有する。
【００３９】
ピクト領域（ＰＣＴ）は、例えば、電波強度を示すアイコンＰ１、電池残量を示すアイコンＰ２、アラーム設定を示すアイコンＰ３、着信メールを示すアイコンＰ４、コンテンツデータの開始時刻設定や記録中である旨を示すアイコンＰ５や、現在時刻Ｐ６を有する。制御部１１１は、装置の状態に応じてアイコンＰ１〜Ｐ６の表示を更新する。
【００４０】
制御部１１１は、装置全体の各構成要素の制御を統括的に行う。
【００４１】
〔記録開始時刻前を報知〕
例えば、制御部１１１は、入力部１０７により記録開始時刻が設定されかつ当該記録開始時刻よりも前に、記録開始時刻前である旨を示す報知を行う。そして、制御部１１１は、入力部１０７により設定された記録開始時刻になると、チューナ部１０１等が受信するディジタル放送波に含まれるコンテンツデータをメモリ１１０に書き込み開始する。
【００４２】
詳細には、制御部１１１は、記録開始時刻が設定されかつ当該記録開始時刻よりも前に、報知として記録開始時刻前である旨を表示部１０９に表示する。
【００４３】
また、制御部１１１は、表示部１０９の照明が消灯した場合、又は表示部１０９の表示が消えた場合に、ＬＥＤ１０８に記録中である旨の報知を行う。表示が消えるとは、例えば筐体部が折り畳まれた状態などを示す。
【００４４】
〔着信表示と記録開始時刻前を表示〕
また、制御部１１１は、記録開始時刻が設定されているときに着信を受けた場合、表示部１０９にその着信の旨の表示を行うと共に、記録開始時刻前である旨を表示部１０９に表示する。例えば着信に関する文字情報を表示する表示エリアに記録開始時刻である旨の表示を行う。
【００４５】
〔アプリ操作と記録開始時刻前表示〕
また、制御部１１１は、記録開始時刻が設定されているときに、アプリケーションプログラムを起動している場合、当該アプリケーションに基づく所定の操作に伴って表示部１０９記録開始時刻前である旨を表示する。
詳細には、例えば制御部１１１は、電話送受信部１０５によるデータ通信に関する表示を表示部１０９に表示させている場合、記録開始時刻前である旨を、データ通信に関する画像表示と共に表示部１０９に表示する。例えばデータ通信はブラウジング等のアプリケーションモードである。
このアプリケーションに基づく所定の操作は、例えばメール機能等のアプリケーションにおいて作成されたデータの送信、またはＷｅｂブラウザ機能等のアプリケーションにおける新たなデータの受信要求に基づく操作である。
【００４６】
また、制御部１１１は、装置の状態を示す情報を表示している領域に、記録開始時刻前である旨を表示部１０９に表示する。
また、制御部１１１は、チューナ部１０１等によるディジタル放送波の受信状態に基づいて、上述の報知する情報の色、大きさ、点滅時間のいずれかを変化させる。
【００４７】
また、制御部１１１は、設定された記録開始時刻の所定時刻前から、記録開始時刻前である旨の報知を行う。例えば制御部１１１は、設定された記録開始時刻までの時間に応じた報知のための表示を表示部１０９に表示する。
【００４８】
また、制御部１１１は、当該記録開始時刻よりも前に、ＬＥＤ１０８に、記録開始時刻前である旨を示す発光を行わせる。
【００４９】
また、制御部１１１は、チューナ部１０１によるディジタル放送波の受信状態に基づいて、報知としてＬＥＤ１０８に発光させる色、点滅時間のいずれかを変化させる。
【００５０】
また、制御部１１１は、現在時刻から設定された記録開始時刻までの時間に応じて、前記記録開始時刻前である旨の報知形態を異ならせる。
例えば制御部１１１は、設定された記録開始時刻までの時間に基づいて、報知としてＬＥＤ１０８に発光させる色、点滅時間のいずれかを変化させる。
【００５１】
〔記録中である旨を報知〕
制御部１１１は、入力部１０７により設定された記録開始時刻になると、チューナ部１０１が受信するディジタル放送波に含まれるコンテンツデータをメモリ１１０の番組記録部１１０１に書き込み開始し、書き込みを行っている旨を示す報知を行う。
【００５２】
詳細には、制御部１１１は、メモリ１１０に書き込みを行っている旨を表示部１０９に表示する。
例えば、制御部１１１は、コンテンツデータを記録しているときは、常に表示部１０９又はＬＥＤ１０８（サブディスプレイ）の少なくとも何れか一方に記録中である旨の報知を行う。
また、制御部１１１は、表示部１０９の照明が消灯した場合、又は表示部１０９の表示が消えた場合に、ＬＥＤ１０８に記録中である旨の報知を行う。表示が消えるとは、例えば筐体部が折り畳まれた状態等を示す。
【００５３】
〔着信表示と記録中表示〕
また、制御部１１１は、コンテンツデータを記録しているときに着信を受けた場合、表示部１０９にその着信の旨を表示するとともに、記録中である旨の表示を行う。
【００５４】
また、制御部１１１は、音声通話中の場合、書き込み行っている旨の表示と共に、音声通話に関する表示を表示部１０９に表示する。
【００５５】
〔アプリ操作と記録中表示〕
また、制御部１１１は、コンテンツデータを記録しているときに、アプリケーションプログラムを起動している場合、アプリケーションに基づく所定の操作に伴って表示部１０９に記録中である旨の表示を行う。
このアプリケーションに基づく操作は、例えばメール機能等のアプリケーションにおいて作成されたデータの送信、またはＷｅｂブラウザ機能等のアプリケーションにおける新たなデータの受信要求に基づく操作等である。
【００５６】
例えば制御部１１１は、データ通信中の場合、書き込みを行っている旨の表示と共に、データ通信に関する表示を表示部１０９に表示する。
また、画面構成上、上記の表示がユーザに邪魔になる際は、制御部１１１は、装置の状態を示す領域に、上記書き込みを行っている旨を表示部１０９に表示する。
【００５７】
また、制御部１１１は、チューナ部１０１等によるディジタル放送波の受信状態に基づいて、表示部１０９に表示させる上記表示の色、大きさ、点滅時間のいずれかを変化させる。
【００５８】
〔終了時刻〕
また、制御部１１１は、コンテンツデータの記録終了時刻までの時間に応じてその旨を表示部１０９に表示する。
例えば制御部１１１は、記録中の表示として現在時刻と終了時刻から記録終了までの残り時間を算出して表示部１０９に表示する。
【００５９】
制御部１１１は、操作指示信号が入力された場合に、上述の報知のための表示を表示部１０９に表示させ、設定時間経過後に当該報知のための表示を抑止させても良い。
また、制御部１１１は、ＬＥＤ１０８に、記録している旨を示す発光を行わせる。
制御部１１１は、チューナ部１０１によるディジタル放送波の受信状態に基づいて、ＬＥＤ１０８に発光させる色、点滅時間のいずれかを変化させる。
【００６０】
また、制御部１１１は、コンテンツデータの記録終了時刻までの時間に基づいて、ＬＥＤ１０８に発光させる色、点滅時間のいずれかを変化させる。
【００６１】
以下、図面を参照しながら、携帯電話１００の動作の一具体例を説明する。
【００６２】
図６は、図１に示した携帯電話１００の記録開始時刻前の動作の一具体例を説明するためのフローチャートである。図６を参照しながら制御部１１１の動作を中心に説明する。
【００６３】
〔記録開始前〕
ステップＳ１において、制御部１１１は、入力部１０７からコンテンツデータの記録開始時刻を設定するための信号が入力されると、その信号に基づいてコンテンツデータの記録開始時刻を設定する。
【００６４】
ステップＳ２において、制御部１１１は、計時部１０６により計時される時刻情報と、ステップＳ１で入力部１０７により設定された記録開始時刻が一致するか否かを判別する。
制御部１１１は、記録開始時刻であると判別すると、チューナ部１０１、復調部１０２、およびデコーダ部１０３により受信するディジタル放送波に含まれるコンテンツデータをメモリ１１０の番組記録部１１０１に書き込み開始する（ステップＳ３）。
【００６５】
一方、ステップＳ２において、記録開始時刻が設定されかつ当該記録開始時刻よりも前には、制御部１１１は、記録開始時刻前である旨を示す報知を表示部１０９やＬＥＤ１０８等に表示させる。
【００６６】
この際、制御部１１１は、設定された記録開始時刻までの時間に応じた表示を表示部１０９に表示する（ステップＳ４）。
例えば、設定された記録開始時刻までの時間に基づいて、ＬＥＤ１０８に発光させる色、点滅時間のいずれかを変化させる。
【００６７】
図７は、図１に示した携帯電話の記録開始時刻前のＬＥＤの動作の一具体例を説明するための図である。
制御部１１１は、例えば図６に示すように、計時部１０６が計時する現在時刻を定期的に監視し、時刻Ｔａから時刻Ｔｂ分の間は１秒間に１回ＬＥＤ１０８を点灯し、時刻Ｔｂから時刻Ｔｃの間は１秒間に３回ＬＥＤ１０８を点灯させるように、段階的に点滅間隔を短くし、時刻Ｔｃから記録開始時刻まではＬＥＤ１０８を点灯させる。
【００６８】
例えば時刻Ｔａ、Ｔｂ、Ｔｃは記録開始時刻の５分前、２分前、１分前の時刻に設定する。
これらの値はユーザが自由に設定してもよい。また、記録開始時刻を過ぎた後の動作は後述する番組記録中の通知動作に従ってもよいし、点灯を継続してもよい。
【００６９】
このような動作を行うことでユーザはＬＥＤ１０８の点滅間隔を見ることで、記録開始時刻が近いのか否かを直感的に把握することができる。
また、ＬＥＤ１０８はディスプレイに比べても、確認が容易なため、遠く離れた場所からも確認することができる。また、メインディスプレイが隠れていても装置の状態を知ることができる。
【００７０】
更に、ステップＳ５において、例えば、制御部１１１は、チューナ部１０１等によるディジタル放送波の受信状態に基づいて、ＬＥＤ１０８に発光させる色、点滅時間のいずれかを変化させてもよいし、また、表示部１０９の表示の色、大きさ、点滅時間のいずれかを変化させてもよい。そして、ステップＳ２の処理に戻る。
【００７１】
〔記録開始時および記録開始後〕
図８は、図１に示した携帯電話の記録時の動作の一具体例を説明するためのフローチャートである。図９は、図１に示した表示部の表示に関する一具体例を示す図である。図８，９を参照しながら、制御部１１１の動作を中心に説明する。
【００７２】
ステップＳ１０１において、例えばコンテンツデータ（番組）記録中に音声着信があると、制御部１１１は、状態として「音声着信」と認識する(Ｓ１０２)。
ステップＳ１０３において、制御部１１１は、表示設定記録部１１０２から音声着信の表示場所を検索し、検索の結果（Ｓ１０４）、表示場所は「ディスプレイ（表示部１０９）」であり（Ｓ１０６）、例えば図９に示すように、表示部１０９の着信画面に番組記録中を示す画像であるアイコンＩ２０１を表示させる（Ｓ１０７）。
詳細には、制御部１１１は、例えばアイコンＩ２０１を、通信相手を示す画像ＰＨ１や着信を示すデータＰＨ２に重ねて表示させる。
【００７３】
例えば、制御部１１１は、ユーザの操作に応じた入力部１０７からの信号が入力されるまで、アイコンＩ２０１を表示部１０９に表示する。
上述したようにアイコンＩ２０１を表示させることで、着信時は画面に表示される名前や電話番号に注意がいってしまい、ピクトに記録中のアイコンが表示されていても気が付かない場合でも、電話番号の付近に記録中表示を出すことでユーザに分かりやすく通知することができる。
【００７４】
図１０は、図１に示した携帯電話の動作の一具体例を説明するためのフローチャートである。図１１は、図１に示した表示部の表示に関する一具体例を示す図である。図１０，１１を参照しながら、音声着信があったときの動作を制御部１１１の動作を中心に説明する。
【００７５】
ステップＳ２０１〜Ｓ２０６までの動作は、図８に示したステップＳ１０１〜Ｓ１０６までの動作と同様なので説明を省略する。
ステップＳ２０７において、制御部１１１は、表示場所がディスプレイに設定されている場合、現在記録中の予約情報を検索し（Ｓ２０８）、記録終了時刻Ｔ１を取得する（Ｓ２０９）。
【００７６】
ステップＳ２１０において、制御部１１１は、先ほど求めた記録終了時刻Ｔ１と現在時刻の差、時間Ｔ２を求め、時間Ｔ２を記録終了までの時間とする（Ｓ２１０）。制御部１１１は、図１１に示すように、表示部１０９に、アイコンＩ２０２の残り時間の部分に時間Ｔ２を表示させる。
【００７７】
図１２は、図１に示した携帯電話がブラウジングを行う場合における記録（記憶中）を示す表示を説明するための図である。図８，１２を参照しながら、携帯電話がブラウジングを行っている場合の表示の動作を、制御部１１１の動作を中心に説明する。
【００７８】
番組記録中にブラウザを起動させると（Ｓ１０１）、制御部１１１は、その操作から「ブラウジング」と認識する（Ｓ１０２）。
ステップＳ１０３において、制御部１１１は、表示設定記録部１１０２からブラウジングの表示場所を検索し、検索の結果（Ｓ１０４）、表示場所は「ディスプレイ（表示部１０９）」であり（Ｓ１０６）、例えば図１２に示すように、ブラウザ画面ＰＨ３に番組記録中を示すアイコンＩ２０３を表示部１０９に表示させる。例えば、このアイコンＩ２０３は、一定時間経過すると表示を抑止させる（表示を消す）。
【００７９】
例えば、ブラウジングやメール作成のように常にディスプレイを見ながら行う状態については、制御部１１１は、報知のための表示であるアイコンを常に表示するのではなく、一定時間アイコンを表示した後、アイコンの表示を抑止し（アイコン表示を行わない）、例えばページを移動したタイミングやメール送信するタイミング時に改めてアイコンを表示するようにしてもよい。
こうすることにより画面の視認性を確保しつつ、記録中であることをユーザにタイミング良く報知することができる。
【００８０】
以上、説明したように、例えば、コンテンツデータを含むディジタル放送波を受信する受信手段としてのチューナ部１０１，復調部１０２，デコーダ部１０３と、表示部１０９と、着信を報知するＬＥＤ１０８と、受信手段が受信したコンテンツデータを記録する番組記録部１１０１と、番組記録部１１０１がコンテンツデータを記録しているときは、常に表示部１０９又はＬＥＤ１０８の少なくとも何れか一方に記録中である旨の報知を行う制御部１１１とを設けたので、コンテンツデータの記録開始時刻をユーザに確実に報知することができる。また、記録中に受信できなくなる場所に移動することを避けることができる。
【００８１】
また、制御部１１１は、表示部１０９の照明が消灯した場合、又は表示部１０９の表示が消えた場合に、ＬＥＤ１０８に記録中である旨の報知を行うので、確認のために、例えば表示部１０８（メインディスプレイ）を露出する必要がない。また、消費電力の削減も図れる。
【００８２】
また、制御部１１１は、コンテンツデータを記録しているときに着信を受けた場合、表示部１０９に該着信の旨の表示とともに記録中である旨の表示を行うので、着信時にそれを見落とすことが無くなる。また、バッテリセービングを考慮して着信に応答するか否かの判断ができる。また、通話時間を短くするか否かの判断ができる。
【００８３】
また、制御部１１１は、着信に関する文字情報を表示する表示エリアに記録中である旨の表示を行うので、例えば相手の名前や番号などの必ず見る場所の付近に表示することで、より見落としが無くなる。
【００８４】
また、メール機能や、ゲーム機能、Ｗｅｂブラウジング機能等のアプリケーションプログラムを搭載し、制御部１１１は、コンテンツデータを記録しているときに、アプリケーションプログラムを起動している場合は、当該アプリケーションに基づく所定の操作に伴って表示部１０９に記録中である旨の表示を行うので、例えばアプリケーションの使用は時間が長くなる恐れがあるので、所々記録中である旨の報知を行うことでバッテリセービングを意識させることができる。又、音声通話の発呼も上記同様である。
【００８５】
また、上述したアプリケーションに基づく所定の操作は、アプリケーションにおいて作成されたデータの送信、又はアプリケーションにおける新たなデータの受信要求に基づく操作とするので、例えばメールの送信や、Ｗｅｂブラウジングにおける新たなページの取得などには、電話送受信部１０５を動作させる必要があり、電力をより消費してしまうことを意識させることができる。
【００８６】
また、制御部１１１は、記録中の表示として現在時刻と前記終了時刻から記録終了までの残り時間を算出して表示部１０９に表示するので、例えばユーザは記録終了までの残り時間を認識でき、残り時間に応じて場所の移動、アプリケーションの起動などバッテリーセービングを考慮しつつ、判断することができる。
【００８７】
また、制御部１１１は、設定された記録開始時刻より前に、表示部１０９又はＬＥＤ１０９の少なくとも何れか一方に記録開始時刻前である旨の報知を行うので、例えば、ユーザは記録開始時刻前に受信できる場所に移動することができる。
【００８８】
また、制御部１１１は、表示部１０９の照明が消灯した場合、又は表示部１０９の表示が消えた場合に、ＬＥＤ１０８（サブディスプレイ）に記録開始時刻前である旨の報知を行うので、確認のためにメイン表示部１０９を露出させる必要がない。また、消費電力の削減も図れる。
【００８９】
また、制御部１１１は、記録開始時刻が設定されているときに着信を受けた場合、表示部１０９に該着信の旨の表示とともに記録開始時刻前である旨の表示を行うので、着信時にそれを見落とすことが無くなる。また、記録のためのバッテリセービングを考慮して着信に応答するか否かの判断ができる。また、通話時間を短くするか否かの判断ができる。
【００９０】
また、制御部１１１は、着信に関する文字情報を表示する表示エリアに記録開始時刻前である旨の表示を行うので、例えば相手の名前や番号などの必ず見える場所の付近に表示することで、より見落とすことが無くなる。
【００９１】
また、メール機能やゲーム機能、Ｗｅｂブラウジング機能等のアプリケーションプログラムを搭載し、制御部１１１は、記録開始時刻が設定されているときに、アプリケーションプログラムを起動している場合は、当該アプリケーションに基づく所定の操作に伴って表示部１０９に記録開始時刻前である旨の表示を行う、例えば図１３に示すようにブラウザ画面ＰＨ３に記録開始時刻前である旨を示すアイコンＩ２０４を表示部１０９に表示させるので、例えばアプリケーションの使用は時間が長くなる恐れがあるので、所々記録開始時刻前である旨の報知を行うことで、ユーザにバッテリセービングを意識させることができる。又、音声通話の発呼も上記同様である。
【００９２】
また、アプリケーションに基づく所定の操作は、アプリケーションにおいて作成されたデータの送信、又はアプリケーションにおける新たなデータの受信要求に基づく操作とするので、例えばメールの送信や、Ｗｅｂブラウジング等における新たなページの取得などには、電話送受信部１０５を動作させる必要があり、ユーザに電力を消費してしまうこと意識させることができる。
【００９３】
また、制御部１１１は、設定された記録開始時刻の所定時間前から記録開始時刻前である旨の報知を行うので、ユーザはその報知を確認するだけで、記録開始時刻寸前であることを認識することができる。
【００９４】
また、制御部１１１は、現在時刻から設定された記録開始時刻までの時間に応じて記録開始時刻前である旨の報知形態を異ならせるので、報知形態を確認するだけで詳細に記録開始時刻を認識することができる。
【００９５】
なお、本発明は本実施形態に限られるものではなく、任意好適な改変が可能である。
例えば、装置の形態は、上述した形態に限られるものではない。例えば、筐体部は折り畳み型でなくともよい。筐体部は、ターン（回転）タイプでもスライドタイプであってもよい。
【００９６】
また、表示部１０９による画像表示の形態も、上述した形態に限られるものではない。
また、入力部１０７により報知の方法、例えば表示部１０９に画像による報知や、ＬＥＤ１０８による報知を行うのかを設定し、その設定に応じて報知を行うようにすることで、よりユーザにわかりやすい報知を行うことができる。
【００９７】
また、上述したように本発明はプログラム制御によって構成されてもよいし、本発明に係る機能を有する専用回路により構成されてもよい。
【産業上の利用可能性】
【００９８】
本発明は、例えばディジタル放送を受信して記録する機能を有するディジタル放送受信装置に適用することができる。
【符号の説明】
【００９９】
１００…ディジタル放送受信装置（携帯電話）、１０１…チューナ部、１０２…復調部、１０３…（ＭＰＥＧ）デコーダ部、１０４…音声出力部、１０５…電話送受信部、１０６…計時部、１０７…入力部、１０８…発光部（ＬＥＤ）、１０９…表示部、１１０…メモリ、１１１…制御部、１１０１…番組記録部、１１０２…表示設定記録部。
【図１】
2011024262.tif 000003
【図２】
2011024262.tif 000004
【図３】
2011024262.tif 000005
【図４】
2011024262.tif 000006
【図５】
2011024262.tif 000007
【図６】
2011024262.tif 000008
【図７】
2011024262.tif 000009
【図８】
2011024262.tif 000010
【図９】
2011024262.tif 000011
【図１０】
2011024262.tif 000012
【図１１】
2011024262.tif 000013
【図１２】
2011024262.tif 000014
【図１３】
2011024262.tif 000015